(57)【特許請求の範囲】
【請求項１】
幅方向の両側端縁がつながった一対の胴部シートと、該一対の胴部シートの下端部に接合された底部シートと、前記一対の胴部シートの上端部に接合された天面シートとを備え、該天面シートにスパウトが装着されているパウチ容器内に内容物が充填された包装体が複数集まって構成される集合包装体と、
前記集合包装体を一体に結束する結束体と、を備え、
隣接している前記包装体は、互いの前記胴部シートのシート面の少なくとも一部が接触するように重ねられ、
前記結束体は、前記集合包装体を取り囲む環状の帯状部材からなり、
前記環状の帯状部材は、周方向の少なくとも一部に熱によって収縮する収縮部を有し、
前記環状の帯状部材は、前記周方向の一部に熱によって収縮しない非収縮部を有し、
前記集合包装体は、互いの前記胴部シートの幅方向中央部同士が接触するように重ねられる２つの前記包装体を含み、
前記２つの包装体の接触部の側端周辺には凹部スペースが存在し、
前記収縮部の少なくとも一部は前記凹部スペースに対向するように配置される、包装構造。
【請求項２】
請求項１に記載の包装構造において、
前記環状の帯状部材は、少なくとも前記集合包装体における前記胴部シートの前記下端部を覆っている、包装構造。
【請求項３】
請求項１又は２に記載の包装構造において、
前記環状の帯状部材は、前記胴部シートの両側端縁の接合部における前記天面シート側の端よりも前記底部シート側を覆っている、包装構造。
【請求項４】
請求項１乃至３のいずれか１つに記載の包装構造において、
前記結束体の表面と前記胴部シートの表面とに跨って貼り付けられたタックシートを備える、包装構造。
【請求項５】
請求項１に記載の包装構造において、
前記結束体は、前記凹部スペースに対向する部分に前記集合包装体の高さ方向に延びるミシン目を有し、
前記ミシン目との距離が３０ｍｍ以下になるように前記結束体の表面と前記胴部シートの表面とに跨って貼り付けられたタックシートを備える、包装構造。
【請求項６】
幅方向の両側端縁がつながった一対の胴部シートと、該一対の胴部シートの下端部に接合された底部シートと、前記一対の胴部シートの上端部に接合された天面シートとを備え、該天面シートにスパウトが装着されているパウチ容器内に内容物が充填された包装体が複数集まって構成される集合包装体と、
前記集合包装体を一体に結束する結束体と、を備え、
隣接している前記包装体は、互いの前記胴部シートのシート面の少なくとも一部が接触するように重ねられ、
前記結束体は、前記集合包装体を取り囲む環状の帯状部材からなり、
前記環状の帯状部材は、周方向の少なくとも一部に熱によって収縮する収縮部を有し、
前記環状の帯状部材は、前記周方向の一部に熱によって収縮しない非収縮部を有し、
前記結束体は、スリーブ状の熱収縮性フィルム、及び前記熱収縮性フィルムの内側の周方向一部に固着された非環状の非熱収縮性フィルムを有する、包装構造。
【発明の詳細な説明】
【技術分野】
【０００１】
本発明は、互いに結束された複数の包装体を備える包装構造に関する。
【背景技術】
【０００２】
従来、複数の容器等の物品を結束する手法としては、シュリンクフィルムからなる包材によって硬くて変形しない複数の物品を包み込んで結束する方法がある（特許文献１参照）。また、粘着シートを用いて硬くて変形しない複数の物品を結束する方法もある。また、鮭フレーク瓶を２本結束する場合、スリーブ状のシュリンクフィルムが使用されることがある。
【先行技術文献】
【特許文献】
【０００３】
【特許文献１】特開２００６−４４７９７号公報
【発明の概要】
【発明が解決しようとする課題】
【０００４】
ところで、変形しやすい複数の容器、例えば内容物が充填された複数の軟包材を結束力を加えて結束する場合、結束は可能であるが結束力によって容器が変形し易い。そして、容器が変形すると、美観が損なわれ、ラベルデザインが歪み、良好な結束状態を維持することが困難になることがある。
【０００５】
本発明の目的は、パウチ容器内に内容物が充填された包装体が変形しにくくて、複数の包装体の良好な結束状態を維持し易い包装構造を提供することにある。
【課題を解決するための手段】
【０００６】
本発明の第１態様に係る包装構造は、幅方向の両側端縁がつながった一対の胴部シートと、該一対の胴部シートの下端部に接合された底部シートと、前記一対の胴部シートの上端部に接合された天面シートとを備え、該天面シートにスパウトが装着されているパウチ容器内に内容物が充填された包装体が複数集まって構成される集合包装体と、前記集合包装体を一体に結束する結束体と、を備え、隣接している前記包装体は、互いの前記胴部シートのシート面の少なくとも一部が接触するように重ねられ、前記結束体は、前記集合包装体を取り囲む環状の帯状部材からなり、前記環状の帯状部材は、周方向の少なくとも一部に熱によって収縮する収縮部を有し、前記環状の帯状部材は、前記周方向の一部に熱によって収縮しない非収縮部を有し、前記集合包装体は、互いの前記胴部シートの幅方向中央部同士が接触するように重ねられる２つの前記包装体を含み、前記２つの包装体の接触部の側端周辺には凹部スペースが存在し、前記収縮部の少なくとも一部は前記凹部スペースに対向するように配置される。
また、本発明の第２態様に係る包装構造は、幅方向の両側端縁がつながった一対の胴部シートと、該一対の胴部シートの下端部に接合された底部シートと、前記一対の胴部シートの上端部に接合された天面シートとを備え、該天面シートにスパウトが装着されているパウチ容器内に内容物が充填された包装体が複数集まって構成される集合包装体と、前記集合包装体を一体に結束する結束体と、を備え、隣接している前記包装体は、互いの前記胴部シートのシート面の少なくとも一部が接触するように重ねられ、前記結束体は、前記集合包装体を取り囲む環状の帯状部材からなり、前記環状の帯状部材は、周方向の少なくとも一部に熱によって収縮する収縮部を有し、前記環状の帯状部材は、前記周方向の一部に熱によって収縮しない非収縮部を有し、前記結束体は、スリーブ状の熱収縮性フィルム、及び前記熱収縮性フィルムの内側の周方向一部に固着された非環状の非熱収縮性フィルムを有する。
【０００７】
本発明によれば、パウチ容器は、幅方向両側端縁が接合された一対の胴部シートにおける上側及び下側の両方の端部側に天面シート及び底部シートを有するから、当該パウチ容器内に内容物が充填された包装体は、寸胴形状に近づき、天面シートや底部シートを設けない包装体に比べて、高さ方向に垂直な切断面の形状が高さ方向であまり変化しない。したがって、そのような形状の複数の包装体が胴部シートを重ねるように結束された包装構造は、胴部シートの密着性を大きくできるから、結束状態が良好なものとなり、結束状態の安定性が向上する。また、良好な結束状態を維持できるから、包装構造の正立が要求される場合でも、複数の包装体の下端部における高さ方向の位置を揃えるだけで、結束状態での正立姿勢を安定させ易い。
【０００９】
また、集合包装体が環状の帯状部材で取り囲まれるから、集合包装体の一体状態をより安定に維持できる。
【００１１】
また、環状の帯状部材における周方向の一部に熱によって収縮する収縮部が設けられるので、熱を付与する前の径が大きい環状の帯状部材を集合包装体の周囲に配置し、その後、熱を付与するだけで環状の帯状部材の径を狭めることで、環状の帯状部材で集合包装体を容易かつ適切に締め付けることができる。
【００１３】
また、環状の帯状部材が収縮部と非収縮部とを有するから、集合包装体を適度な締め付け力で締め付けできる。したがって、内容物が充填された複数のパウチ容器を確実に結束でき、結束状態の美観も比較的に優れたものにできる。
【００１５】
また、第１態様に係る包装構造によれば、環状の帯状部材は、互いの胴部シートの幅方向中央部同士が接触するように重ねられる２つの包装体の接触部の側端付近に形成される凹部スペースに対向する部分の少なくとも一部が収縮する。したがって、環状の帯状部材の少なくとも一部が、凹部スペースに対向して収縮の自由度がより大きな箇所で収縮することになるので、環状の帯状部材に皺が寄りにくく、包装構造の美観が環状の帯状部材の皺で損なわれることを抑制できる。
【００１６】
また、本発明において、前記環状の帯状部材は、少なくとも前記集合包装体における前記胴部シートの前記下端部を覆っていてもよい。
【００１７】
仮に環状の帯状部材で集合包装体の高さ方向の中央部を締め付けたとすると、内容物の一部がパウチ容器の下側に移動することによって、包装構造は、集合包装体の底側が広がった不安定な形状になる虞がある。これに対し、環状の帯状部材で集合包装体の下端部側が締め付けられると、内容物の一部を締め付けられていないパウチ容器の上側に移動させることができる。したがって、集合包装体の底側構造は、複数の包装体が密着した構造となり、集合包装体の底側形状は、高さ方向に垂直な切断面の形状が高さ方向であまり変化しない寸胴形状に近づく。よって、集合包装体の下部側の密着性を向上できて、包装構造の下部側に良好な拘束状態を構築できる。さらに、複数の包装体の底部の高さ方向位置が揃っていて、集合包装体の下端部を水平面に載置した場合、集合包装体の下端部が締め付けられているので、自重によって内容物が下側に移動して内容物が下側に偏ることを防止できる。したがって、包装構造の正立性が要求される場合に、包装構造の下部側に良好な拘束状態を構築でき、包装構造を安定に起立させることができる。
【００１８】
また、本発明において、前記環状の帯状部材は、前記胴部シートの両側端縁の接合部における前記天面シート側の端よりも前記底部シート側を覆ってもよい。
【００１９】
この場合、環状の帯状部材は、胴部シートの両側端縁の接合部における前記天面シート側の端よりも底部側に装着されていることになり、天面シートにかかることがない。したがって、天面シートの歪みを抑制できると共に、天面シートからの局所的な力によって環状部材に皺が寄ることも抑制でき、包装構造の美観が損なわれることを抑制できる。
【００２０】
また、本発明において、前記結束体の表面と前記胴部シートの表面とに跨って貼り付けられたタックシートを備えてもよい。
【００２１】
この場合、結束体抜けを防止することができる。特に、非接着状態で集合包装体を結束する結束体を用いる場合、例えば、結束体が、収縮部を有し、当該収縮部が収縮することによって集合包装体を結束する環状の帯状部材である場合や、結束体が、伸縮力によって集合包装体を結束する環状の帯状部材である場合には、当該タックシートを有することが好ましい。
【００２２】
また、本発明において、前記結束体は、前記凹部スペースに対向する部分に前記集合包装体の高さ方向に延びるミシン目を有し、前記ミシン目との距離が３０ｍｍ以下になるように前記結束体の表面と前記胴部シートの表面とに跨って貼り付けられたタックシートを備えてもよい。
【００２３】
この場合、ミシン目との距離が３０ｍｍ以下になる位置にタックシートが貼り付けられるので、ミシン目の周辺部分がタックシートにより固定されるため、ミシン目を切断しようとした際には、ミシン目が切断され易くなる。
【発明の効果】
【００２４】
本発明の包装構造によれば、パウチ容器内に内容物が充填された包装体が変形しにくくて、複数の包装体の結束状態での正立姿勢を安定に維持できる。
【図面の簡単な説明】
【００２５】
【図１】本発明の一実施形態における包装構造の斜視図である。
【図２】上記包装構造に含まれる包装体の斜視図である。
【図３】上記包装構造の集合包装体を取り囲む前の結束体を示す斜視図である。
【図４】上記集合包装体を取り囲む前の結束体の模式平面図である。
【図５】非収縮部においてデザイン層が設けられた箇所における径方向の積層構造の一例を示す模式図である。
【図６】上記包装構造が商品棚等で陳列される際、背面側になることが想定される側から見たときの包装構造の斜視図である。
【図７】変形例の包装構造の模式正面図である。
【図８】他の変形例の包装構造の模式正面図である。
【図９】（ａ）は変形例の包装構造の模式正面図であり、（ｂ）はその変形例の包装構造の模式平面図である。
【図１０】（ａ）は他の変形例の包装構造の模式正面図であり、（ｂ）はその変形例の包装構造の模式平面図である。
【図１１】変形例の集合包装体の模式平面図である。
【図１２】３つの包装体で構成される変形例の集合包装体の模式平面図である。
【図１３】３つの包装体で構成される他の変形例の集合包装体の模式平面図である。
【図１４】変形例における図６に対応する斜視図である。
【発明を実施するための形態】
【００２６】
以下に、本発明に係る実施の形態について添付図面を参照しながら詳細に説明する。この説明において、具体的な形状、材料、数値、方向等は、本発明の理解を容易にするための例示であって、用途、目的、仕様等にあわせて適宜変更することができる。また、以下において複数の実施形態や変形例などが含まれる場合、それらの特徴部分を適宜に組み合わせて他の実施形態を構成することは、当初から想定されている。また、実施形態の説明で参照する図面は、模式的に記載されたものであり、図面に描画された構成要素の寸法比率などは現物と異なる場合があり、寸法比率などは複数の図面で整合が取れない場合がある。
【００２７】
図１は、本発明の一実施形態における包装構造８０の斜視図である。
【００２８】
この包装構造８０は、２つの包装体１０が集まって構成される集合包装体５０と、集合包装体５０を一体に結束する結束体６０とを備える。２つの包装体１０は、一列に整列している。包装体１０は、内容物と、内容物の充填によって膨らんだパウチ容器４０とで構成される。内容物は、特に限定されないが、例えば、シャンプー、リンス、トリートメント、洗剤等の生活用各種ケア製品やスポーツドリンク等の飲料で構成される。内容物は、液体に限らず、粘性物や粉状物であってもよい。内容物は、流動性があるものが好ましく、例えば、液体、ゼリー状物、粘性物、粉状物、粒状物等が好ましい。
【００２９】
図１に示すように、結束体６０は、集合包装体５０を取り囲む環状の帯状部材で構成される。帯状の結束体６０に締め付けられることによって、集合包装体５０は、一体化され、分離しないようになっている。以下、図２を用いてパウチ容器４０について詳述し、後述の図３を用いて結束体６０について詳述する。そして、その後、再度、包装構造８０について詳しい説明を行い、例えば、集合包装体５０の構造や集合包装体５０に対する結束体６０の締め付け等について詳しい説明を行う。
【００３０】
図２は、包装体１０の斜視図である。図２に示すように、包装体１０のパウチ容器４０は、４つのシート材を重ね合わせてサイドシール部２２等のシール部で接合することにより形成される。
【００３１】
パウチ容器４０は、表面シート１１および裏面シート１２（一対の胴部シート）と、底部シート１３と、天面シート１４とを備える。表面シート１１および裏面シート１２は、容器の表面部および裏面部をそれぞれ構成するシート材である。天面シート１４は、上端側において表面シート１１と裏面シート１２との間に挿入され、底部シート１３は、下端側において表面シート１１と裏面シート１２との間に折り込まれて挿入される。パウチ容器４０は、内容物の充填により底部シート１３が展開して自立可能になる。天面シート１４は、容器の広がりを有する天面部を構成するシート材である。また、底部シート１３は、容器の広がりを有する底部を構成するシート材である。
【００３２】
パウチ容器４０は、重ね合わされた表面シート１１と裏面シート１２との間に、天面シート１４を上端側から挿入すると共に底部シート１３を下端側から挿入した状態で、各シート１１〜１４の端縁同士をシール部で接合し、内容物が充填される容器内部空間である充填部１７を密閉する。充填部１７の上端は、天面シート１４が表面シート１１および裏面シート１２の上端部に接合されることで密閉され、充填部１７の下端は、底部シート１３が表面シート１１および裏面シート１２の下端部に接合されることで密閉される。
【００３３】
表面シート１１および裏面シート１２は、いずれも上下方向にやや長く延び、上端側の角が面取りされた略矩形状を呈する。天面シート１４は、略六角形状を呈し、表面シート１１および裏面シート１２の上端に接合される。なお、天面シート１４は、略六角形のものに限定されず、例えば、四角形、八角形等の他の多角形形状であってもよいし、あるいは、円形、楕円形、菱形等の形状であってもよい。他方、底部シート１３は、略矩形の形状を有する。底部シート１３は、例えば、表面シート１１および裏面シート１２の下端から表面シート１１等の上下方向全長に対して１／５程度の高さ以下の範囲に設けられることができる。
【００３４】
各シート１１〜１４を形成するシート材は、パウチ容器４０の壁面部を構成するシート状部材であって、通常、樹脂フィルムから構成される。シート材を構成する樹脂フィルムには、耐衝撃性、耐磨耗性、および耐熱性など、包装体としての基本的な性能を備えることが要求される。シート材の厚みは、例えば２０μｍ〜３００μｍであり、好ましくは３０μｍ〜２００μｍである。また、シール部は、通常、ヒートシールにより形成されるので、シート材には、ヒートシール性も要求される。シート材としては、ベースフィルム層と、ヒートシール性を付与するシーラント層とを有する複層シート材が好適であり、高いガスバリア性が要求される場合には、ベースフィルム層とシーラント層との間にガスバリア層を設けることが好適である。
【００３５】
ここで、ベースフィルム層、シーラント層、およびガスバリア層の構成材料を例示する。なお、これら各層の積層は、慣用のラミネート法、例えば、接着剤によるドライラミネーション、熱接着性層を挟んで熱により接着させる熱ラミネーションなどにより行うことができる。
【００３６】
ベースフィルム層を構成するフィルムとしては、ポリエステル（ポリエチレンテレフタレート（ＰＥＴ）、ポリエチレンナフタレ−ト（ＰＥＮ）、ポリブチレンテレフタレート（ＰＢＴ）、ポリカーボネート（ＰＣ）など）、ポリオレフィン（ポリエチレン（ＰＥ）、ポリプロピレン（ＰＰ）など）、ポリアミド（ナイロン−６、ナイロン−６６など）、ポリアクリロニトリル（ＰＡＮ）、ポリイミド（ＰＩ）、ポリ塩化ビニル（ＰＶＣ）、ポリ塩化ビニリデン（ＰＶＤＣ）、ポリメチルメタクリレート（ＰＭＭＡ）、およびポリエーテルスルフォン（ＰＥＳ）等から構成される一層又は二層以上の延伸又は未延伸フィルムが例示できる。ベースフィルム層の厚みは、例えば１０μｍ〜２００μｍであり、好ましくは１０μｍ〜１００μｍである。
【００３７】
シーラント層を構成するフィルムとしては、低密度ポリエチレン（ＬＤＰＥ）、直鎖状低密度ポリエチレン（ＬＬＤＰＥ）、エチレン−プロピレン共重合体（ＥＰ）、未延伸ポリプロピレン（ＣＰＰ）、二軸延伸ナイロン（ＯＮ）、エチレン−オレフィン共重合体、エチレン−アクリル酸共重合体（ＥＡＡ）、エチレン−メタクリル酸共重合体（ＥＭＡＡ）およびエチレン−酢酸ビニル共重合体（ＥＶＡ）等から構成される一層又は二層以上の延伸又は未延伸フィルムが例示できる。シーラント層の厚みは、例えば１０μｍ〜２００μｍであり、好ましくは２０μｍ〜１８０μｍである。
【００３８】
ガスバリア層としては、アルミニウム等の金属薄膜、又は塩化ビニリデン（ＰＶＤＣ）、エチレン−ビニルアルコール共重合体（ＥＶＯＨ）などの樹脂フィルム、或いは任意の合成樹脂フィルム（例えば、ベースフィルム層であってもよい）に、アルミニウム、酸化アルミニウムやシリカ等の無機酸化物などを蒸着（又はスパッタリング）したフィルムが例示できる。ガスバリア層の厚みは、例えば０．１μｍ〜２０μｍであり、好ましくは０．２μｍ〜１０μｍである。
【００３９】
シール部は、ヒートシールにより形成されることが好適である。ヒートシールによるシール部は、各シート材のシーラント層が容器の内側となるように重ね合わせて熱圧着することで形成できる。パウチ容器４０は、上記シール部として、トップシール部２０と、ボトムシール部２１と、サイドシール部２２とを有する。トップシール部２０は、天面シート１４の端縁に略六角形をなす枠状に形成されるシール部であり、天面シート１４の外周端縁と表面シート１１および裏面シート１２の各上端部とが接合されて形成される。また、ボトムシール部２１は、底部シート１３の端縁に形成されるシール部であり、底部シート１３と、表面シート１１および裏面シート１２とが接合されて形成される。
【００４０】
サイドシール部２２は、表面シート１１および裏面シート１２の幅方向端縁同士を直接接合して幅方向両端にそれぞれ形成される。サイドシール部２２は、他のシール部と同様に、充填部１７を密閉するための端縁シール部である。サイドシール部２２は、上下方向に沿って延在する。サイドシール部２２は、その下端部および上端部に幅広部２８，２９として形成される一方、上下方向の中間部分は幅が狭い幅狭部として形成される。
【００４１】
パウチ容器４０では、天面シート１４の中央部に、内容物を充填および取り出すための口栓３０が設けられる。口栓３０は、天面シート１４に固定されるスパウト３１と、スパウト３１の外周に形成されたネジ部に螺合されたキャップ３２とで構成される。
【００４２】
スパウト３１は、天面シート１４から外側に突出する筒部３１ａと、筒部３１ａの端部に一体形成されたフランジ部３１ｂとを有する。フランジ部３１ｂは、略矩形状を呈し、天面シート１４の内面（すなわち充填部１７側の面）に例えばヒートシールされて取り付けられる。フランジ部３１ｂの形状は、略矩形状に限定されるものではなく、例えば、円形、楕円形、長円形、多角形等の他の形状であってもよい。
【００４３】
図２に示す例のように、スパウト３１のフランジ部３１ｂは、略矩形状であると好ましく、幅方向に略平行な辺３１ｂ−１と奥行き方向に略平行な辺３１ｂ−２とからなると更に好ましい。また、フランジ部の奥行き方向の長さは、天面シール部を除く天面シートの奥行き長さの７０％〜１００％の長さであると好ましく、さらに天面シール部を除く天面シートの奥行き長さと略同じ長さであると好ましい。スパウトのフランジ部を、幅方向に略平行な辺と奥行き方向に略平行な辺とで構成して略矩形状とすると、該フランジ部が奥行き方向に所定の長さを有することになるので、天面部において、表面シートと裏面シートとが離れた状態を確保できる。したがって、包装体を正立させた状態で上端側に内容物がない部分があっても、表面シートと裏面シートとの間に所定間隔を有する天面部を確保できる。
【００４４】
図１及び図２を参照して、集合包装体５０において、各包装体１０のスパウト３０のフランジ部３１ｂの高さ位置は略同じになっている。スパウトのフランジ部が幅方向に略平行な辺と奥行き方向に略平行な辺とで構成される略矩形の形状を有するので、集合包装体５０において、隣接する２つの包装体１０は、互いの胴部シート１１,１２において互いのフランジ部３１ｂの幅方向に略平行な辺同士が接触している。また、集合包装体５０において、隣接する２つの包装体１０における隣接する胴部シート１１,１２は、スパウト３０のフランジ部３１ｂを挟んで略平行になっているシート面部分同士が接触する。図１の形態では、包装体１０の幅方向中央部において、一方の包装体１０の裏面シート１２と、他方の包装体１０の表面シート１１の、シート面が接触している。このことから、集合包装体５０において、２つの包装体１０をより密に結束でき、結束状態を安定させることができる。
【００４５】
再度図２を参照して、底部シート１３には、幅方向両端に三角形状の未シール部１６が形成されており、この未シール部１６に対応する幅方向端部に半円状の切欠き１８が形成されている。この底部シート１３の切欠き１８を介して表面シート１１と裏面シート１２とがポイントシールにより直接接合される。
【００４６】
このシール形態により、パウチ容器４０の充填部１７に内容物を充填すると、底部シート１３が広がった状態に展開して表面シート１１および裏面シート１２が互いに離間し、胴部が膨らんだ形態となる。そして、パウチ容器４０及びそれに充填された内容物からなる包装体１０は、自立性すなわちスタンディング性を有する。上述のように、天面シート１４が略六角形状を有する一方、底部シート１３は、略矩形の形状を有して、両シート１３,１４の形状は異なる。また、パウチ容器４０が内容物の充填で膨らんでなる包装体１０が起立している状態で、包装体１０の上部の形状は、包装体１０の底部の形状と異なる。しかし、この実施形態のように、包装体１０が起立している状態で、包装体１０をスパウト３１側から見たときの上部の平面視での存在面積が、包装体１０を底部シート１３側から見たときの底部の平面視での存在面積と略同じになっていると、正立姿勢を安定させることができて好ましい。
【００４７】
なお、天面シート１４の面積は、底部シート１３の面積の０.５〜１.５倍であることが好ましく、０.７〜１.３倍であることがより好ましい。また、天面シート１４の奥行き方向の長さは、底部シート１３の奥行き方向の長さの０.５〜１.５倍であることが好ましく、０.７〜１.３倍がより好ましい。また、天面シート１４の幅方向の長さは、底部シート１３の幅方向の長さの０.５〜１.５倍であることが好ましく、０.７〜１.３倍であることがより好ましい。
【００４８】
ボトムシール部２１は、一対の胴部シート１１,１２の内面と底部シート１３の内面とが接合されて形成される。より詳しくは、ボトムシール部２１は、一対の胴部シート１１,１２の下端部の内面と、底部シート１３の周縁とが接合された下端シール部２１ａを有する。また、ボトムシール部２１は、包装体１０の幅方向中央部付近における下端シール部２１ａから幅方向両端に向けて上側に傾斜し、胴部シート１１,１２の幅方向両端（サイドシール２２と接続する）まで形成されている傾斜シール部２１ｂを有する。下端シール部２１ａと傾斜シール部２１ｂとの間はシールがされておらず、前述の三角形状の未シール部１６が形成されている。
【００４９】
図１及び図２を参照して、集合包装体５０において、隣接する２つの包装体１０が重ねられて接触する各シート面は、略次の２つのシール部で囲まれる領域で形成される。すなわち、胴部シートの下端部において、幅方向中央部付近のボトムシールであって、傾斜シール部間に形成される下端シール部と、胴部シートの上端部において、幅方向に対して平行に伸びる幅方向中央部付近のトップシール部とで囲まれる領域で形成される。
【００５０】
再度図２を参照して、表面シート１１と底部シート１３とで形成される表面側の下端シール部２１ａと、裏面シート１２と底部シート１３とで形成される裏面側の下端シール部２１ａとは、包装体の幅方向両端において、接触又は近接し、下端シール部２１ａは略環状に構成され、包装体の底部を形成している。本実施形態では、包装体の幅方向両端において、未シール部１６がポイントシールされることによって、表面側の下端シール部２１ａと裏面側の下端シール部２１ａとが、包装体の幅方向両端において、接触又は近接状態が形成されている。
【００５１】
当該略環状の下端シール部２１ａは、軸方向に直交する同一平面上に略位置する。この構成によって、包装体１０を正立させようとしたときに、下端シール部２１ａが床面に接触することになり、包装体１０がスタンディング状態を安定に維持できる。
【００５２】
底部シート１３は、サイドシール部２２側に位置する包装体１０の幅方向の一端部及び他端部において天面シート１４側に最も窪んだ窪みを形成している。この窪みは、底部シート１３において一対の胴部シート１１,１２の境界に接合されている部分のうちで最も天面シート１４側に位置する上端で最も深くなる。上記窪みは、その上端に位置する箇所が天面シート１４側に尖った形状となっている。底部シート１３は、幅方向の一端部及び他端部から中央部に向かうにしたがって天面シート１４側とは反対側の下方側に膨らみ、奥行き方向の一端部及び他端部から中央部に向かうにしたがってボトムシール部２１の天面シート１４側の上端から上記下方側に膨らむ。内容物が充填された状態では、ボトムシール部２１の上記環状の下端シール部２１ａ、及び底部シート１３において幅方向及び奥行き方向の両方向で略中央部に位置する部分が地面に接触することにより、包装体１０が正立する。但し、包装体１０は、下端部シール部２１ａのみで床面に接触するような上げ底であってもよい。この場合、当該下端部シール部２１ａを形成する領域以外の底部シート１３は床面に接触しない状態となる。
【００５３】
図２に示すように、胴部が膨らんだ形態で底部シート１３と天面シート１４は、略同じ大きさを有し、例えば一方側のサイドシール部２２から他方側のサイドシール部２２までの距離が略同じになっている。このことから、包装体１０の自立性が安定する。内容物は、スパウト３１から充填することができる。包装体１０は、パウチ容器４０に天面シート１４を設けたことにより、図２に示すように上部も膨らんで、寸胴状の形状となり、あたかもボトルのような形態となる。
【００５４】
なお、本実施形態では、４つの異なるシートで、一対の胴部シート１１,１２、底部シート１３及び天面シート１４を構成する場合について説明したが、１枚のシートを折り曲げる等して、一対の胴部シート、底部シート及び天面シートを構成してもよく、４以外の数のシートを折り曲げたり接合したりすることによって、一対の胴部シート、底部シート及び天面シートを構成してもよい。
【００５５】
図３は、集合包装体５０を取り囲む前の結束体６０を示す斜視図であり、図４は、集合包装体５０を取り囲む前の結束体６０の模式平面図である。
【００５６】
結束体６０は、帯状のフィルムからなる。結束体６０は、周方向の第１部分に熱によって収縮しない非収縮部６１を有し、周方向の第２部分に熱によって収縮する収縮部６２を有する。図４に示すように、結束体６０は、スリーブ状の熱収縮性フィルム６５、及び熱収縮性フィルム６５内側の周方向一部に接着剤で固着された非環状の非熱収縮性フィルム６６で構成される。ここで、スリーブ状の熱収縮性フィルム６５は、帯状の熱収縮性フィルムの延在方向の一端部と他端部とを接着部６８で接着することによって構成される。接着部６８は、例えば溶剤によって該一端部と他端部とを溶着することにより形成される、この例の場合、非収縮部６１は、図４に矢印Ａで示す熱収縮性フィルム６５において非熱収縮性フィルム６６が接着されている周方向部分で構成される。また、収縮部６２は、図４に矢印Ｂで示す結束体６０におけるそれ以外の周方向部分で構成される。
【００５７】
熱収縮性フィルム６５は、例えば、ポリエチレンテレフタレート系樹脂やポリ乳酸系樹脂等のポリエステル系樹脂、ポリエチレン系樹脂やポリプロピレン系樹脂等のポリオレフィン系樹脂、ポリスチレン系樹脂、ポリ塩化ビニル系樹脂、ポリアミド系樹脂などの熱可塑性樹脂から選択される１種、又は２種以上の混合物で構成される。これらの材料のうち、熱収縮性フィルム６５は、シュリンク特性等の観点からポリエステル系樹脂、ポリオレフィン系樹脂、ポリスチレン系樹脂を用いることが好ましく、ポリエステル系樹脂、ポリオレフィン系樹脂を用いることがより好ましい。熱収縮性フィルム６５は、単層フィルムであってもよく、複数の層を有する多層フィルムであってもよい。多層フィルムの場合、裏面を構成する層としてヒートシール層を有していてもよい。
【００５８】
他方、非熱収縮性フィルム６６は、例えば、ポリエチレンテレフタレート系樹脂やポリ乳酸系樹脂等のポリエステル系樹脂、ポリエチレン系樹脂やポリプロピレン系樹脂等のポリオレフィン系樹脂等の延伸フィルム又は無延伸フィルムで好適に構成される。非熱収縮性フィルム６６は、熱収縮性フィルム６５にドライラミネート用接着剤で貼り合わせられる。なお、非熱収縮性フィルム６６は、前述のフィルムの代わりに、紙、合成紙、不織布又は発泡シートを用いてもよい。また、非熱収縮性フィルム６６としては、感圧接着剤付き非熱収縮性フィルム（タックシート）を用いてもよい。この場合は、非熱収縮性フィルム６６は、前記ドライラミネート接着剤は用いず、感圧接着剤によって熱収縮性フィルム６５と貼り合わせられる。
【００５９】
図４を参照して、矢印Ａで示される非収縮部６１が占める結束体周方向の位相範囲が、図４に矢印Ｂで示される収縮部６２が占める結束体周方向の位相範囲よりも大きい方が好ましい。また、非収縮部６１が占める結束体６０の周方向の位相割合が６０％以上であることがより好ましく、非収縮部６１が占める結束体６０の周方向の位相割合が７０％以上であると特に好ましい。
【００６０】
再度図１を参照して、集合包装体５０について説明をする。集合包装体５０において包装体１０は、互いの胴部シート１１,１２の略幅方向中央部同士が接触するように一方向に重ねられる。図１に示す例では、左側に位置する包装体１０の裏面シート１２が右側に位置する包装体１０の表面シート１１と接触している。一方向から見たとき、一方の包装体１０の表面シート１１は、他方の包装体１０の裏面シート１２に略重なる。その結果、集合包装体５０において、一方の包装体１０の両側に設けられたサイドシール部２２は、他方の包装体１０の両側に設けられたサイドシール部２２に上記一方向に間隔をおいた状態で該一方向に略対向する。
【００６１】
一方の包装体１０の表面シート１１の下端部と、他方の包装体１０の表面シート１１の下端部とが、包装体１０の軸方向に直交する方向で揃っている。また、一方の包装体１０の表面シート１１の上端部と、他方の包装体１０の表面シート１１の上端部とも、包装体１０の軸方向に直交する方向で揃っている。包装構造８０を正立させた状態で、一方の包装体１０において口栓３０が存在する高さ方向の上端部は、他方の包装体１０において口栓３０が存在する高さ方向の上端部に水平方向に略重なり、一方の包装体１０の上端部の高さ方向位置は、他方の包装体１０の上端部の高さ方向位置に略一致している。また、包装構造８０を正立させた状態で、一方の包装体１０の高さ方向の下端部は、他方の包装体１０の高さ方向の下端部に水平方向に略重なり、一方の包装体１０の下端部の高さ方向位置は、他方の包装体１０の下端部の高さ方向位置に略一致している。
【００６２】
本実施形態によれば、一方の包装体１０の下端部の高さ方向位置が、他方の包装体１０の下端部の高さ方向位置に揃っているので、集合包装体５０の正立姿勢を安定させることができる。また、上述のように、底部シート１３と天面シート１４は、胴部が膨らんだ形態で略同じ大きさを有しているから、この視点からも、結束状態を良好に維持でき、正立姿勢を安定に維持できる。
【００６３】
包装構造８０は、２つの包装体１０における接触部４３の一方の側端が正面に向けられ、購買者が２つの包装体１０を視認できるような姿勢で商品棚等に配置されることが想定されている。そして、例えば、結束体６０には、その接触部４３の一方の側端に対向する正面部における図１に四角で囲んだエリア４２付近に、商品名や製造者名、ロゴマーク、キャラクター、背景等を表示するデザイン層や、バーコード等の機械的読取記号が設けられる。また、図１に示すように、その場合、結束体６０において正面に向けられる側は非収縮部６１で構成され、エリア４２は非収縮部６１に存在してもよい。
【００６４】
図５は、非収縮部６１にデザイン層７２を設けた場合における径方向の積層構造の一例を示す模式図である。図５に示すように、非収縮部６１におけるデザイン層７２が設けられた箇所６１ａは、例えば、外側に配置される透明の熱収縮性フィルム層７１、熱収縮性フィルム層７１の内側に配置されるデザイン層７２、デザイン層７２の内側に設けられるドライラミネート用接着剤層７３、ドライラミネート用接着剤層７３の内側に設けられる透明の非熱収縮性フィルム層７４、及び非熱収縮性フィルム層７４の内側に設けられる白色層７５で構成されることができる。
【００６５】
デザイン層７２は、例えば、複数の異なる色彩を有する印刷層を組み合わせることによって形成される。但し、デザイン層７２は１の印刷層を用いて、印刷層を設ける部分と設けない部分とによって形成されてもよい。デザイン層７２の厚みは、特に限定されないが、好ましくは０．１μｍ〜５μｍである。
【００６６】
印刷層は、従来公知の油性インキ（溶剤系インキ）又は水性インキを用いて形成できる。これらインキは、例えばバインダ樹脂と、色材と、任意の添加剤と、溶媒又は分散媒（以下、溶媒等という）とを含有し、バインダ樹脂や色材が溶媒等に溶解又は分散したものである。溶媒等は、バインダ樹脂等を溶解又は分散させることができれば特に限定されないが、水性インキの場合は水を含む。印刷層は、グラビア印刷法、フレキソ印刷法、凸版輪転印刷法、及びインクジェット印刷法などの従来公知の印刷法により形成することができる。これらの印刷法により、フィルム基材上にインキを塗工した後、溶媒等を揮発除去して、色材と、バインダ樹脂と、任意の添加剤とを含む印刷層が形成される。
【００６７】
白色層７５は、例えば、白色層７５の内側に配置される包装体の外面を視認できないように隠蔽するために設けられる。白色層７５とは、白色の色材及びボイドの少なくとも一方を含む層である。白色層７５は、白色以外の色材を含んでいてもよいが、色材として白色の色材のみからなると好ましい。白色の色材としては、酸化チタン、亜鉛華（亜鉛白）、鉛白、リトボン（硫酸バリウムと硫化亜鉛の混合物）等の白色顔料が例示でき、好ましくは酸化チタンである。白色層７５の内側にすべり層を配置することもできる。
【００６８】
図５では、デザイン層７２を、非収縮部６１における熱収縮性フィルム層７１の内側に形成する例について説明した。しかし、デザイン層は、非収縮部における熱収縮性フィルム層の外側に形成されてもよく、非収縮部における熱収縮性フィルム層の外側及び内側の両方に形成されてもよく、非熱収縮性フィルム層の外側、内側、若しくはその両方、又は熱収縮性フィルム及び非熱収縮性フィルムの両方に形成されていてもよい。また、デザイン層は、収縮部における熱収縮性フィルム層の内側、外側、又は内側及び外側の両側に設けられてもよい。
【００６９】
図６は、包装構造８０が商品棚等で陳列される際、背面側に向けられることが想定される側から見たときの包装構造８０の斜視図である。
【００７０】
図１及び図６に示すように、一方及び他方の包装体１０のサイドシール部２２は、結束体６０に接触している。そして、一方の包装体１０の表面シート１１と、他方の包装体１０の裏面シート１２とは、表面シート１１と裏面シート１２との接触部４３の側端側に尖った凹部スペース４６を画定している。結束体６０において一方の包装体１０のサイドシール部２２に接触する部分と他方の包装体１０のサイドシール部２２に接触する部分との間に位置する周方向部分は、凹部スペース４６に対向する。
【００７１】
図３及び図６を参照して、図３に示される熱が付与される前の結束体６０の収縮部６２の周方向寸法は、図６に示される熱が付与されて集合包装体５０を結束した状態での結束体６０の収縮部６２の周方向寸法よりも大きい。図１及び図６に示す包装構造８０は、収縮部６２が凹部スペース４６に対向する全領域を含むように、熱付与前のスリーブ状の結束体６０で集合包装体５０の周囲を覆った後、熱を付与して収縮部６２の周方向寸法を縮めることで形成される。
【００７２】
図６に示すように、熱が付与されて収縮部６２が収縮した後の状態で、収縮部６２は、２つの包装体１０の接触部４３における他方側の側端に対向するように配置され、収縮部６２は、凹部スペース４６に対向するように配置される。図６に示すように、熱の付与後において、収縮部６２の周方向長さが、結束体６０において凹部スペース４６に対向する部分の周方向長さよりも長い場合、収縮部６２は、凹部スペース４６に対向する部分の周方向全領域を含むと特に好ましい。また、熱の付与後において、収縮体の周方向長さが、結束体において凹部スペースに対向する部分の周方向長さよりも短い場合、収縮部の全領域は、凹部スペースに対向する部分に含まれると特に好ましい。なお、これらの例のように、収縮部は、熱の付与後の状態で結束体において凹部スペースに対向する周方向領域の少なくとも一部を含むように配置されると好ましいが、収縮部は、熱の付与後の状態で結束体において凹部スペースに対向する周方向領域以外の箇所に配置されてもよい。
【００７３】
本実施形態によれば、収縮部６２は、互いの胴部シート１１,１２の略幅方向中央部同士が接触するように重ねられる２つの包装体１０の接触部４３における他方側の側端に対向するように配置される。一方、非収縮部６１は、前記接触部４３における一方側の側端に対向するように配置される部分を有する。加えて、非収縮部６１は、一方の包装体１０の裏面シート１２と他方の包装体１０の表面シート１１とに密着した状態で対向するように配置される部分も有する。よって環状の結束体６０は、熱が付与された際、胴部シート１１,１２同士が接触する２つの包装体１０の接触部４３の側端付近に形成される凹部スペース４６に対向する部分が収縮する。その結果、環状の結束体６０が、凹部スペース４６に対向して収縮の自由度がより大きな箇所で収縮することになるので、環状の結束体６０に皺が寄りにくく、包装構造８０の美観が結束体６０の皺で損なわれることを抑制できる。さらに、非収縮部６１が、一方の包装体１０の裏面シート１２と他方の包装体１０の表面シート１１とに密着した状態で対向するように配置されるので、さらに皺が寄り難く美観に優れる。
【００７４】
図１及び図６に示すように、胴部シート１１（又は１２）と結束体６０の外面に跨るようにタックシートを構成するタックラベル１９を貼付すると、結束体６０抜けを防止できて好ましい。また、図６に示すように、結束体６０は、包装構造８０の高さ方向（集合包装体５０の高さ方向）に延在するミシン目６７を有すると好ましい。製品購入者は、ミシン目線にそって結束体６０を破断することで、集合包装体５０を容易に分断でき、包装体１０を容易に取り出すことができる。図６に示すように、包装構造８０においてミシン目６７が凹部スペース４６に対向するように配置されると、ミシン目６７を切断し易くて好ましい。なお、図１及び図６に示す例では、タックラベル１９は、一方の包装体１０の裏面シート１２の幅方向の中央に、正面側から見た場合に購買者が視認できる正面と、正面側から見た場合に購買者が視認できない背面とに跨るように貼り付けられている。また、タックラベル１９は、結束体６０においては非収縮部６１に対応する領域の表面に貼り付けられている。また、図１及び図６に示す例では、２つのミシン目６７が、結束体６０の収縮部６２に対応する領域に凹部スペース４６に対向するように設けられている。しかし、タックシートを構成するタックラベル１９及びミシン目６７は、次に示す好ましい変形例のように設けられてもよい。
【００７５】
詳しくは、図１４に示す変形例のように、結束体６０は、集合包装体５０における２つの包装体１０の接触部４３の側端周辺にある凹部スペース４６に対向する部分に集合包装体５０の高さ方向に延びるミシン目６７を有し、当該ミシン目６７との距離が３０ｍｍ以下になるように前記結束体６０の表面と前記胴部シートの表面とに跨って貼り付けられたタックシートを備える構成であってもよい。このとき、タックシートと、ミシン目６７との距離は２０ｍｍ以下であると更に好ましく、１０ｍｍ以下であると最も好ましい。この変形例によれば、ミシン目６７の周辺部分がタックシートにより固定されるため、購買者がミシン目６７を切断しようとした際には、ミシン目６７が切断され易くなる。
【００７６】
具体的に、図１４を用いて変形例の説明をするが、当該変形例の説明は、図１乃至図６で示される実施例と異なる構成について主に説明するものとし、当該実施例と同じの構成については図１乃至図６で示される実施例の記載を参酌できるものとする。
【００７７】
図１４に示す変形例において、結束体６０は、接触部４３における他方の側端周辺の凹部スペース４６に対向する部分に集合包装体５０の高さ方向に延びる２つのミシン目６７を有する。そして、タックシートを構成する第１タックラベル１９ａがミシン目６７（具体的には、２つのミシン目６７のうち第１タックラベル１９ａに近い側のミシン目）との距離が３０ｍｍ以下になる位置に貼られ、タックシートを構成する第２タックラベル１９ｂがミシン目６７（具体的には、２つのミシン目６７のうち第２タックラベル１９ｂに近い側のミシン目）との距離が３０ｍｍ以下になる位置に貼られている。
【００７８】
第１タックラベル１９ａは、結束体６０の表面と一方の包装体１０の裏面シート１２の表面とに跨るように貼られており、一方の包装体１０の裏面シート１２の表面のうち、ミシン目６７と対向する凹部スペース４６に近い側の端縁側に偏った位置に貼付されている。即ち、第１のタックラベル１９ａは、一方の包装体１０の裏面シート１２に表面であって、ミシン目６７と対向する凹部スペース４６に近い側の端縁との距離が、当該凹部スペース４６に遠い側の端縁との距離よりも小さくなるように貼られている。
【００７９】
第２タックラベル１９ｂは、結束体６０の表面と他方の包装体１０の表面シート１１の表面とに跨るように貼られており、他方の包装体１０の表面シート１１の表面のうち、ミシン目６７と対向する凹部スペース４６に近い側の端縁側に偏った位置に貼付されている。より具体的には、第２のタックラベル１９ｂは、一方の包装体１０の裏面シート１２の表面であって、ミシン目６７と対向する凹部スペース４６に近い側の端縁との距離が、当該凹部スペース４６に遠い側の端縁との距離よりも小さくなるように貼られている。
【００８０】
特に、ミシン目６７と対向する凹部スペース４６が背面側となる場合には、タックラベル１９ａ、１９ｂを当該凹部スペース４６に近い側の端縁側に偏った位置に貼付することで、正面側から見た時にタックラベル１９ａ、１９ｂが目立ち難くなるため好ましい。
【００８１】
図１及び図６に示すように、結束体６０は、包装体１０における胴部シート１１,１２の両側端縁の接合部をなすサイドシール部２２の天面シート１４側の端３６よりも若干底部シート１３側に位置する箇所から、胴部シート１１,１２の下端部までの領域を覆っていると好ましい。
【００８２】
仮に環状の結束体で集合包装体の高さ方向の中央部を締め付けたとすると、内容物の一部がパウチ容器の下側に移動することによって、包装構造は、集合包装体の底側が広がった不安定な形状になる虞がある。これに対し、本実施形態のように、環状の結束体６０で集合包装体５０の下端部側を締め付けると、内容物の一部をパウチ容器４０が締め付けられていない上側に移動させることができる。したがって、集合包装体５０の底側構造が複数の包装体１０が密着した構造となり、集合包装体５０の底側形状を、高さ方向に垂直な切断面の形状が高さ方向であまり変化しない寸胴形状に近づけることができる。よって、集合包装体５０の下部側の密着性を向上できて、包装構造８０の下部側に良好な拘束状態を構築でき、さらに、本実施形態のように集合包装体５０を構成する包装体１０の下端部の高さ方向位置が揃っていて、集合包装体５０の下端部を水平面に載置した場合、集合包装体５０の下端部が締め付けられているので、自重によって内容物が下側に移動して内容物が下側に偏ることを抑制できて、比較的に内容物が下側に移動し難くできる。したがって、包装構造８０の正立性が要求される場合に、包装構造８０の下部側に良好な拘束状態を構築でき、包装構造８０を安定に起立させることができる。
【００８３】
また、結束体６０は、胴部シート１１の両側端縁のサイドシール部２２における天面シート１４側の端よりも底部シート１３側を覆っているので、結束体６０が天面シート１４にかかることがない。したがって、天面シート１４の歪みを抑制できると共に天面シート１４からの局所的な力によって、結束体６０に皺が寄ることも抑制でき、包装構造８０の美観が損なわれることを抑制できる。
【００８４】
なお、結束体６０は、集合包装体５０の高さ方向の如何なる箇所を覆ってもよいが、少なくとも集合包装体５０における胴部シート１１,１２の下端部を覆っていると好ましく、更に、包装体１０の高さ方向の中点を越える高さの箇所から、包装体１０の胴部シート１１,１２の下端部までの領域を覆っていると特に好ましい。集合包装体の胴部を、胴部シートが存在する領域として定義するとき、環状の結束体は、集合包装体における胴部の高さ方向の５０％以上又は６０％以上を覆っていると好ましい。また、環状の結束体は、胴部の下端部を含み且つ胴部の高さ方向の５０％以上又は６０％以上を覆っていると特に好ましい。また、環状の結束体は、胴部全体を覆ってもよいが、覆っていない領域を有することが好ましい。覆っていない領域は、胴部の高さ方向の５％〜５０％、１０％〜４０％、１５％〜３０％が好ましい。また、集合包装体の上部側は覆われていないことが好ましい。
【００８５】
上記実施形態によれは、パウチ容器４０は、幅方向両側端縁が接合された一対の胴部シート１１,１２における上側及び下側の両方の端部側に天面シート１４及び底部シート１３を有するから、パウチ容器４０に内容物が充填された包装体１０は、寸胴形状に近づき、天面シートや底部シートを設けない包装体に比べて、高さ方向に垂直な切断面の形状が高さ方向であまり変化しない。したがって、そのような形状の複数の包装体１０が胴部シート１１,１２を重ねるように結束された包装構造８０は、胴部シート１１,１２の密着性を大きくできるから、結束状態が良好なものとなり、結束状態の安定性が向上する。また、良好な結束状態を維持できるから、包装構造８０の正立が要求される場合でも、本実施形態のように複数の包装体１０の下端部における高さ方向の位置を揃えるだけで、結束状態での正立姿勢を安定させることができる。
【００８６】
また、隣接する包装体１０は、互いの胴部シート１１,１２の略幅方向中央部同士が接触するように重ねられるので、２つの包装体１０,１０を密着させることができて、集合包装体５０をコンパクトかつ安定に構成できる。よって、包装構造８０の結束状態の安定性を更に向上させることができる。
【００８７】
また、結束体６０が、集合包装体５０を取り囲む環状の帯状部材からなるので、結束体６０で集合包装体５０を全周に亘って締め付けることができ、集合包装体５０の一体状態をより安定に維持できる。
【００８８】
また、結束体６０が周方向の第２部分に熱によって収縮する収縮部６２を有するから、熱を付与する前の径が大きい結束体６０を集合包装体５０の周囲に配置し、その後、熱を付与するだけで結束体６０の径を狭めることで、結束体６０で集合包装体５０を容易かつ適切に締め付けることができる。
【００８９】
また、結束体６０が収縮部６２と非収縮部６１とを有するから、集合包装体５０を適度な締め付け力で締め付けできる。したがって、包装体１０を確実に結束でき、結束状態の美観も比較的に優れたものにできる。
【００９０】
なお、本実施形態では、スリーブ状の結束体６０が、非収縮部６１と収縮部６２とを有する場合について説明したが、スリーブ状の結束体は、収縮部のみからなってもよく、非収縮部のみからなってもよい。
【００９１】
また、上記実施形態では、商品棚等で表側に向けられる結束体の正面部が非収縮部６１で構成され、非収縮部６１のエリア４２付近にデザイン層を設ける例について説明した。しかし、商品棚等で表側に向けられる結束体の正面部が収縮部で構成され、正面部を構成する収縮部にデザイン層を設けてもよい。
【００９２】
次に、図７〜図１０を参照して包装構造の変形例について説明する。なお、図７以下の変形例では、上記実施形態で説明した構成と同じ構成に上記実施形態で付した参照番号と同じ参照番号を付し、当該同じ参照番号を付した構成の説明は省略する。
【００９３】
図７は、変形例の包装構造１８０の模式正面図である。図７に示すように、斜線で示すスリーブ状の結束体１６０は、集合包装体５０の側方における包装体１０の口栓３０以外の全領域を全周に亘って覆ってもよく、包装体１０の天面シート１４の一部を覆ってもよい。
【００９４】
また、図８は、他の変形例の包装構造２８０の模式正面図である。図８に示すように、斜線で示すスリーブ状の結束体２６０は、集合包装体５０の側方における包装体１０の口栓３０も含んだ全領域を全周に亘って覆ってもよい。
【００９５】
また、上記実施形態では、熱収縮性フィルム６５を含んだ結束体６０で集合包装体５０を結束する場合について説明した。しかし、次の図９及び図１０に示すように、熱収縮性フィルムを含まない結束体で集合包装体５０を結束してもよい。
【００９６】
図９（ａ）は、変形例の包装構造３８０の模式正面図であり、図９（ｂ）は、包装構造３８０の模式平面図である。図９（ａ）及び図９（ｂ）に示すように、２つのタックシート３６０を集合包装体５０において２つの包装体１０に跨って貼着することによって包装構造を設けてもよい。詳しくは、２つのタックシート３６０が２つの包装体１０の接触部の各側端周辺に凹部スペース４６を有する状態（タックシート３６０が一方の包装体１０の裏面シート１２及び他方の包装体１０の表面シート１１から少なくとも一部が離れ、凹部スペース４６が形成された状態）で、一方の包装体１０の表面シート１１と他方の包装体１０の裏面シート１２とに貼り付られるようにして、タックシート３６０で集合包装体５０を結束してもよい。
【００９７】
また、図１０（ａ）は、他の包装構造４８０の模式正面図であり、図１０（ｂ）は、包装構造４８０の模式平面図である。図１０（ａ）及び図１０（ｂ）に示すように、集合包装体５０の側面の全周をタックシート４６０で覆うことによって、集合包装体５０を結束してもよい。詳しくは、図１０（ｂ）に示すように、タックシート４６０は、集合包装体５０の側面の全周に巻き付けられている。また、タックシート４６０は、一方の包装体１０の表面シート１１と他方の包装体１０の裏面シート１２に貼着されている。また、タックシート４６０は、２つの包装体１０の接触部の各側端周辺に凹部スペース４６を有する状態（タックシート４６０が一方の包装体１０の裏面シート１２及び他方の包装体１０の表面シート１１から少なくとも一部が離れ、凹部スペース４６が形成された状態）で、一方の包装体１０の表面シート１１と他方の包装体１０の裏面シート１２とに貼り付けられている。
【００９８】
次に、図１１〜図１３を参照して集合包装体の変形例について説明する。図１１は、変形例の集合包装体５５０の模式平面図である。図１１に示すように、集合包装体５５０は、一方の包装体１０の裏面シート１２における幅方向一方側の端部にあるシート面と、他方の包装体１０の表面シート１１における幅方向他方側の端部にあるシート面とが当接するように構成されてもよい。
【００９９】
また、上記実施形態では、集合包装体５０が、２つの包装体１０で構成される場合について説明したが、集合包装体は３つ以上の包装体で構成されてもよい。次に、集合包装体を３つの包装体で構成する場合の変形例について説明する。図１２は、３つの包装体で構成される変形例の集合包装体６５０の模式平面図である。図１２に示すように、隣接する包装体１０の胴部シート１１,１２の中央部のシート面同士を接触させるように、３つの包装体１０を一列に配置してもよい。
【０１００】
また、図１３は、３つの包装体で構成される他の変形例の集合包装体７５０の模式平面図である。図１３に示すように、一方の包装体１０と他方の包装体１０からなる２つの包装体１０を、胴部シート１１,１２の中央部のシート面同士が接触するよう配置してもよい。そして、残りの１つの包装体１０のサイドシール部２２が、一方の包装体１０と他方の包装体１０との胴部シート１１,１２同士の接触部の一方の側端に、接触又はわずかな隙間を介して近接するように、残りの１つの包装体１０を配置してもよい。この場合、残りの１つの包装体１０は、サイドシール部２２側にある表面シート１１及び裏面シート１２のシート面が、一方の包装体１０の裏面シート１２の幅方向一方側のシート面と他方の包装体１０の表面シート１１の幅方向一方側のシート面とに接触するように重ねられている。このようにして、３つの包装体１０を千鳥配置してもよい。
【０１０１】
なお、スリーブ状の結束体の採用し、結束体の少なくとも周方向の一部又は全部にシュリンクフィルムやストレッチフィルムを配置すると、集合包装体を適度に締め付けできて好ましい。また、タックラベルを、張力をかけながら巻き付けることによって、集合包装体を締め付けてもよい。また、結束体は、熱収縮性フィルムやタックシートやストレッチフィルムを含んでなくてもよい。結束体は、複数の包装体で構成される集合包装体を結束できるものであれば、如何なる部材であってもよく、例えば、ゴムバンドや輪状の紐等で構成されてもよい。
【符号の説明】
【０１０２】
１０  包装体、  １１  表面シート、  １２  裏面シート、  １３  底部シート、  １４  天面シート、  ３１  スパウト、  ３６  胴部シートの両側端縁の接合部をなすサイドシール部の天面シート側の端、  ４０  パウチ容器、  ５０,５５０,６５０,７５０  集合包装体、  ６０,１６０,２６０,３６０,４６０  結束体、  ６１,２６１,３６１  非収縮部、  ６２,２６２,３６２  収縮部、  ８０,１８０,２８０,３８０,４８０  包装構造。
【図１】
0006707374.tif 000002
【図２】
0006707374.tif 000003
【図３】
0006707374.tif 000004
【図４】
0006707374.tif 000005
【図５】
0006707374.tif 000006
【図６】
0006707374.tif 000007
【図７】
0006707374.tif 000008
【図８】
0006707374.tif 000009
【図９】
0006707374.tif 000010
【図１０】
0006707374.tif 000011
【図１１】
0006707374.tif 000012
【図１２】
0006707374.tif 000013
【図１３】
0006707374.tif 000014
【図１４】
0006707374.tif 000015